(57)【特許請求の範囲】
【請求項１】
複数の有線ＬＡＮポートと、
無線端末との間で、所定の通信方式による無線通信を行う際の無線通信条件に係る設定情報を記憶する設定記憶手段と、
前記有線ＬＡＮポートの少なくとも一つを注目有線ＬＡＮポートとして、当該注目有線ＬＡＮポートがリンクアップ状態となっているか、リンクダウン状態となっているかに応じて異なる設定情報を、前記設定記憶手段に格納する条件設定手段と、
前記設定記憶手段に格納された設定情報により規定される無線通信条件にて無線通信を行う無線通信手段と、
を含むアクセスポイント装置。
【請求項２】
請求項１記載のアクセスポイント装置であって、
前記条件設定手段は、
前記注目有線ＬＡＮポートがリンクダウン状態であるときには第１の設定情報を前記設定記憶手段に格納し、
前記注目有線ＬＡＮポートがリンクアップ状態であるときには、前記第１の設定情報とは異なる第２の設定情報を、前記設定記憶手段に格納するアクセスポイント装置。
【請求項３】
請求項１記載のアクセスポイント装置であって、
前記条件設定手段が、前記注目有線ＬＡＮポートのうちリンクアップ状態となっている有線ＬＡＮポートの数、またはリンクダウン状態となっている有線ＬＡＮポートの数に応じて異なる設定情報を、前記設定記憶手段に格納するアクセスポイント装置。
【請求項４】
請求項１から３のいずれか一項に記載のアクセスポイント装置であって、
前記有線ＬＡＮポートを介して接続される有線ＬＡＮ上に、論理的に複数の仮想ＬＡＮが設定され、
前記条件設定手段は、対応する仮想ＬＡＮを介して送受する情報を前記無線通信手段が無線通信する際の無線通信条件を、それぞれ対応する仮想ＬＡＮを識別する識別情報に関連付けて、前記設定情報として前記設定記憶手段に格納し、
前記無線通信手段が受信した情報を、当該情報の受信に用いられた無線通信条件要素に関連づけられた識別情報で識別される仮想ＬＡＮを介して送出するアクセスポイント装置。
【請求項５】
請求項１から４のいずれか一項に記載のアクセスポイント装置であって、
前記無線通信条件には、利用するサービスセット識別子（ＳＳＩＤ）に係る条件を含むアクセスポイント装置。
【請求項６】
複数の有線ＬＡＮポートと、無線通信条件に係る設定情報を記憶する設定記憶手段とを含むアクセスポイント装置を、
前記有線ＬＡＮポートの少なくとも一つを注目有線ＬＡＮポートとして、当該注目有線ＬＡＮポートがリンクアップ状態となっているか、リンクダウン状態となっているかに応じて異なる設定情報を、前記設定記憶手段に格納する条件設定手段と、
前記設定記憶手段に格納された設定情報により規定される無線通信条件にて無線通信を行う無線通信手段と、
として機能させるプログラム。
【発明の詳細な説明】
【技術分野】
【０００１】
本発明は、無線通信を行うアクセスポイント装置及びプログラムに関する。
【背景技術】
【０００２】
緊急時においては電話回線が輻湊して実質的に使用不能となったときにおいても、インターネット等のネットワーク通信手段が利用可能な場合がある。こうした事情に着目して、近年では緊急時のネットワーク利用も考えられるようになっている。
【０００３】
特許文献１には、有線系の通信経路とＳＳＩＤとを対応付けておき、有線系に障害が発生したときに、当該障害発生経路に対応するＳＳＩＤのビーコンを停止することが開示されている。
【先行技術文献】
【特許文献】
【０００４】
【特許文献１】特開２０１２−６０５２３号公報
【発明の概要】
【発明が解決しようとする課題】
【０００５】
しかしながら、上記従来の技術では、有線系の障害に対応して無線通信条件を変更することはできても、緊急時等において、利用するＳＳＩＤ等の無線通信条件を容易に設定することまでは考慮されていない。
【０００６】
本発明は上記実情に鑑みて為されたもので、無線通信条件を容易に設定できるアクセスポイント装置及びプログラムを提供することを、その目的の一つとする。
【課題を解決するための手段】
【０００７】
上記従来例の問題点を解決するための本発明は、アクセスポイント装置であって、複数の有線ＬＡＮポートと、無線端末との間で、所定の通信方式による無線通信を行う際の無線通信条件に係る設定情報を記憶する設定記憶手段と、前記有線ＬＡＮポートの少なくとも一つを注目有線ＬＡＮポートとして、当該注目有線ＬＡＮポートがリンクアップ状態となっているか、リンクダウン状態となっているかに応じて異なる設定情報を、前記設定記憶手段に格納する条件設定手段と、前記設定記憶手段に格納された設定情報により規定される無線通信条件にて無線通信を行う無線通信手段と、を含むこととしたものである。これによると、注目有線ＬＡＮポートがリンクアップ状態であるか否かによって無線通信条件を変更でき、無線通信条件を容易に設定できる。
【０００８】
また前記条件設定手段は、前記注目有線ＬＡＮポートがリンクダウン状態であるときには第１の設定情報を前記設定記憶手段に格納し、前記注目有線ＬＡＮポートがリンクアップ状態であるときには、前記第１の設定情報とは異なる第２の設定情報を、前記設定記憶手段に格納することとしてもよい。
【０００９】
また前記条件設定手段が、前記注目有線ＬＡＮポートのうちリンクアップ状態となっている有線ＬＡＮポートの数、またはリンクダウン状態となっている有線ＬＡＮポートの数に応じて異なる設定情報を、前記設定記憶手段に格納することとしてもよい。
【００１０】
これによると、注目有線ＬＡＮポートをいくつリンクアップ状態またはリンクダウン状態とするかによって無線通信条件を変更でき、無線通信条件を容易に設定できる。
【００１１】
さらに、前記有線ＬＡＮポートを介して接続される有線ＬＡＮ上に、論理的に複数の仮想ＬＡＮが設定されているときには、前記条件設定手段は、前記各仮想ＬＡＮを介して送受する情報を前記無線通信手段が無線通信する際の無線通信条件を表す無線通信条件要素を、それぞれ対応する仮想ＬＡＮを識別する識別情報に関連付けて、前記設定情報として前記設定記憶手段に格納し、前記無線通信手段が受信した情報を、当該情報の受信に用いられた無線通信条件要素に関連づけられた識別情報で識別される仮想ＬＡＮを介して送出することとしてもよい。
【００１２】
このように仮想ＬＡＮを用いるときには、無線通信条件ごとに有線側の通信条件を定めることが可能となる。
【００１３】
さらに、前記無線通信条件には、利用するサービスセット識別子（ＳＳＩＤ）に係る条件を含んでもよい。
【００１４】
また本発明の一態様に係るプログラムは、複数の有線ＬＡＮポートと、無線通信条件に係る設定情報を記憶する設定記憶手段とを含むアクセスポイント装置を、前記有線ＬＡＮポートの少なくとも一つを注目有線ＬＡＮポートとして、当該注目有線ＬＡＮポートがリンクアップ状態となっているか、リンクダウン状態となっているかに応じて異なる設定情報を、前記設定記憶手段に格納する条件設定手段と、前記設定記憶手段に格納された設定情報により規定される無線通信条件にて無線通信を行う無線通信手段と、として機能させることとしたものである。
【発明の効果】
【００１５】
本発明によると、無線通信条件を容易に設定できる。
【図面の簡単な説明】
【００１６】
【図１】本発明の実施の形態に係るアクセスポイント装置１の構成例を表すブロック図である。
【図２】本発明の実施の形態に係るアクセスポイント装置１の制御部１１の例を表す機能ブロック図である。
【図３】本発明の実施の形態に係るアクセスポイント装置１の動作例を表すフローチャート図である。
【図４】本発明の実施の形態に係るアクセスポイント装置１の設定データベースの内容例を表す説明図である。
【図５】本発明の実施の形態に係るアクセスポイント装置１の仮想ＬＡＮに係る設定例を表す説明図である。
【図６】本発明の実施の形態に係るアクセスポイント装置１の接続モードの設定例を表す説明図である。
【発明を実施するための形態】
【００１７】
本発明の実施の形態について図面を参照しながら説明する。本発明の実施の形態に係るアクセスポイント装置１は、図１に例示するように、制御部１１、記憶部１２、無線通信部１３、及び有線通信部１４を含んで構成される。また有線通信部１４は、複数の有線ＬＡＮポート１４１ａ，ｂ…を備える。この有線通信部１４が備える有線ＬＡＮポート１４１の少なくとも一つは、ケーブルを介してスイッチＳＷ等を介して有線ＬＡＮに接続される。
【００１８】
ここで制御部１１は、ＣＰＵ等のプログラム制御デバイスであり、記憶部１２に格納されたプログラムに従って動作する。本実施の形態においてこの制御部１１は、一般的なアクセスポイント装置と同様に、無線通信部１３を介して接続されたＰＣ等の端末との間で、予め設定された無線通信条件での無線通信を行う。ここで無線通信条件はアクセスポイント装置を識別する識別情報と、使用する規格（８０２．１１ａ，８０２．１１ｎ等の別）、使用するチャネル、暗号化の方法及び暗号キー等のセキュリティに関する情報等を含む。
【００１９】
ここで識別情報は例えばＳＳＩＤでよく、識別情報は複数あってもよい。複数の識別情報を用いる場合、アクセスポイント装置１は、各識別情報で識別される複数の論理的なアクセスポイントとして機能する。この場合、当該論理的なアクセスポイントごとに、無線端末との間で、８０２．１１等、所定の通信方式による無線通信を行う際に使用する規格やチャネル、暗号化の方法及び暗号キー等のセキュリティに関する情報等を含む無線通信条件を定め、設定情報に含める。なお、ここでは論理的なアクセスポイントごとの無線通信条件を、無線通信条件要素と呼ぶ。また、ここでセキュリティに関する情報は、「暗号化なし」等、実質的にセキュリティなしとする情報であってもよい。
【００２０】
また本実施の形態の制御部１１は、有線ＬＡＮポートの少なくとも一つを注目有線ＬＡＮポートとして、当該注目有線ＬＡＮポートがリンクアップ状態となっているかリンクダウン状態となっているかに応じて異なる無線通信条件を用いるべき旨の設定を行う。またこの制御部１１は、当該設定した無線通信条件にて、無線通信部１３を介した無線通信処理を行う。この制御部１１の詳しい動作の内容については後に述べる。
【００２１】
記憶部１２は、フラッシュメモリ等、再起動によりその内容を失わない不揮発メモリ部１２１を含み、またＲＡＭ等を含んで構成される。この記憶部１２の不揮発メモリ部１２１には、制御部１１によって実行されるプログラムを保持している。このプログラムは、コンピュータ可読、かつ非一時的（Non-transitory）な記憶媒体に格納されて提供され、この記憶部１２に格納されたものであってもよい。またこの記憶部１２は制御部１１のワークメモリとしても動作する。記憶部１２の不揮発メモリ部１２１にはさらに、無線通信部１３が使用する、無線通信条件に係る設定情報を格納する領域（設定情報記憶領域）が形成される。すなわち本実施の形態では、この不揮発メモリ部１２１が設定記憶手段として機能する。またこの不揮発メモリ部１２１の上記設定情報記憶領域外の部分には、設定される可能性のある無線通信条件の候補がさらに記憶されていてもよい。
【００２２】
一例として、この不揮発メモリ部１２１の設定情報記憶領域外には、注目有線ＬＡＮポートがリンクダウン状態であるときに設定情報記憶領域に格納されるべき第１の無線通信条件に係る設定の情報と、注目有線ＬＡＮポートがリンクアップ状態であるときに設定情報記憶領域に格納されるべき、第１の無線通信条件とは異なる第２の無線通信条件に係る設定の情報とが格納される。
【００２３】
無線通信部１３は、無線ＬＡＮインタフェース等であり、制御部１１から入力される指示に従い、記憶部１２に格納された設定情報により規定される無線通信条件にて、図示しない無線端末（ＰＣ等）との間で、無線でデータを送受する。有線通信部１４は、複数の有線ＬＡＮポート１４１ａ，ｂ…を備えた有線のネットワークインタフェース等であり、本実施の形態の一例では、有線ＬＡＮに接続されたスイッチＳＷ等のネットワーク機器に接続される。さらにこの有線通信部１４は、有線ＬＡＮに接続されているルータ等を介してインターネット等のＷＡＮ（Wide Area Network）上の機器と通信可能に接続される。この有線通信部１４は制御部１１から入力される指示に従い、有線ＬＡＮやＷＡＮを介して情報を送受する。
【００２４】
次に、本実施の形態の制御部１１の動作について説明する。本実施の形態の制御部１１は、機能的には、図２に例示するように、リンク状態検出部２１と、無線通信条件設定部２２と、通信処理部２３とを含んで構成される。
【００２５】
ここでリンク状態検出部２１は、有線通信部１４が備える有線ＬＡＮポート１４１ａ，ｂ…のそれぞれがリンクアップ状態とリンクダウンの状態とのどちらにあるかを所定のタイミング（例えば予め定めた時間ごと）に繰り返し検出する。そしてこのリンク状態検出部２１は、当該検出結果を無線通信条件設定部２２に出力する。
【００２６】
具体的にリンク状態検出部２１は、各有線ＬＡＮポート１４１に対応して設けられるＰＨＹ（physical layer）がリンクアップされている（ケーブルが接続されて通信可能となっている）か否かを調べる。一例として有線ＬＡＮポート１４１がＲＪ−４５である場合、ＰＨＹがリンクパルスを検出しているときにリンクアップ状態にあると判断する。制御部１１のリンク状態検出部２１は、各有線ＬＡＮポート１４１のＰＨＹがリンクアップ状態にあるか否かを調べ、リンクアップ状態にあるＰＨＹに対応する有線ＬＡＮポート１４１を特定する情報を出力する。またリンク状態検出部２１は、リンクアップ状態にないＰＨＹについては、リンクダウン状態にあると判断する。
【００２７】
無線通信条件設定部２２は、リンク状態検出部２１が出力する検出結果を参照して、当該検出結果に基づいて無線通信条件を決定する。本実施の形態のある例では、この無線通信条件設定部２２は、リンク状態検出部２１が出力する検出結果から有線ＬＡＮポート１４１のうち注目有線ＬＡＮポートを特定する情報が出力されているか否か、つまり注目有線ＬＡＮポートがリンクアップ状態となっているか否かを調べる。ここで有線ＬＡＮポート１４１のうちどの有線ＬＡＮポートを注目有線ＬＡＮポートとするかは予め定めて、当該注目有線ＬＡＮポートとされた有線ＬＡＮポートを特定する情報を記憶部１２に保持させておけばよい。
【００２８】
無線通信条件設定部２２は、注目有線ＬＡＮポートがリンクダウン状態であれば、予め、注目有線ＬＡＮポートがリンクダウン状態であるときに設定情報記憶領域に格納されるべき無線通信条件に係る設定情報として定められた第１の無線通信条件に係る設定情報を不揮発メモリ部１２１から読み出して、この第１の無線通信条件に係る設定情報を設定情報記憶領域に複写して格納する。
【００２９】
また無線通信条件設定部２２は、注目有線ＬＡＮポートがリンクアップ状態となっていれば、予め、注目有線ＬＡＮポートがリンクアップ状態であるときに設定情報記憶領域に格納されるべき無線通信条件に係る設定情報として定められた第２の無線通信条件に係る設定情報を不揮発メモリ部１２１から読み出して、この第２の無線通信条件に係る設定情報を設定情報記憶領域に複写して格納する。
【００３０】
これにより、無線通信条件設定部２２は、注目有線ＬＡＮポートがリンクアップ状態となっているか、リンクダウン状態となっているかに応じて異なる無線通信条件に係る設定の情報を、設定記憶手段である不揮発メモリ部１２１に格納することとなる。無線通信条件設定部２２は、設定情報の置き換え、または追記を行った後、通信処理部２３を当該置き換えまたは追記後の無線通信条件にて通信させるように制御する。この制御は、例えば通信処理部２３、またはアクセスポイント装置１全体を再起動することによって行ってもよい。なお、動作中に通信条件を変更できる場合は、再起動は必ずしも必要ではない。
【００３１】
また本実施の形態の別の例では、第１の無線通信条件に係る設定情報は、第１のＳＳＩＤに係る第１の無線通信条件要素を含むものであり、第２の無線通信条件に係る設定情報は、この第１の無線通信条件要素とともに、上記第１のＳＳＩＤとは異なる第２のＳＳＩＤに係る第２の無線通信条件要素を含むものであってもよい。この場合、不揮発メモリ部１２１の設定情報記憶領域外には、注目有線ＬＡＮポートがリンクアップ状態であるときに設定情報記憶領域に格納されるべき、第１の無線通信条件に係る設定情報には含まれず、第２の無線通信条件に係る設定情報に含められるべき第２の無線通信条件要素が格納されていてもよい。
【００３２】
この例では、無線通信条件設定部２２は、注目有線ＬＡＮポートがリンクダウン状態であれば、設定情報記憶領域に格納されている無線通信条件に係る設定情報を参照して、第１の無線通信条件要素のほかに第２の無線通信条件要素が含められていれば、当該第２の無線通信条件要素を、設定情報記憶領域に格納されている無線通信条件に係る設定情報から削除する処理を行う。
【００３３】
また無線通信条件設定部２２は、注目有線ＬＡＮポートがリンクアップ状態となっていれば、第２の無線通信条件要素に係る情報を読み出して、この第２の無線通信条件要素に係る情報を、設定情報記憶領域内の設定情報に複写して格納する。これにより、無線通信条件設定部２２は、注目有線ＬＡＮポートがリンクダウン状態であるときには、第１の無線通信条件に係る設定情報が設定情報記憶領域に格納されている状態とし、また、注目有線ＬＡＮポートがリンクアップ状態となっているときには、第２の無線通信条件に係る設定情報を設定情報記憶領域に格納した状態とする。
【００３４】
以下の説明では、注目有線ＬＡＮポートがリンクアップ状態であるか否かに関わらず使用している無線通信条件を、注目有線ＬＡＮポートがリンクアップ状態となった後もそのまま使用することとして、読み出した無線通信条件を、記憶部１２の不揮発メモリ部１２１に格納された無線通信条件に係る設定情報に追記するものとして説明するが、本実施の形態では、上述のように置き換えることとしても構わない。
【００３５】
通信処理部２３は、記憶部１２に格納された無線通信条件に係る設定情報を参照して動作し、当該設定情報により規定された、少なくとも一つのＳＳＩＤを利用した無線通信を行う。すなわち本実施の形態の通信処理部２３は、無線通信条件に係る設定情報に含まれる各無線通信条件要素に係るＳＳＩＤでそれぞれ識別される複数の論理的なアクセスポイントとして機能する。このとき各論理的なアクセスポイントは、対応する無線通信条件要素により規定されるＳＳＩＤ、並びに暗号化方法や暗号キー等を用いてＰＣ等の端末との間で無線通信を行う。
【００３６】
また、この端末側から受信したパケット情報の宛先情報を参照し、当該パケット情報が有線ＬＡＮに接続されている端末宛、あるいはＷＡＮ側のウェブサーバ等宛である場合、通信処理部２３は有線通信部１４を介して当該パケット情報を送出する。さらにこの通信処理部２３は、当該パケット情報が無線ＬＡＮに接続されている他の端末宛であれば、無線通信部１３を介して当該パケット情報を宛先となった端末に宛てて送出する。
【００３７】
通信処理部２３はさらに、無線にて通信を行っている端末宛のパケット情報を、有線通信部１４を介して受信すると、当該パケット情報を、無線通信部１３を介して宛先となった端末に宛てて送出する。この通信処理部２３の動作は、一つまたは複数のＳＳＩＤを用いた通信を行うアクセスポイント装置の動作として広く知られたものであるので、ここでの詳しい説明を省略する。
【００３８】
本実施の形態の一例に係るアクセスポイント装置１は、以上の構成を備えており、次のように動作する。なお、以下の説明では有線ＬＡＮポート１４１ａ，ｂ，…のうち、有線ＬＡＮポート１４１ｂを注目有線ＬＡＮポートとして設定しておくものとする。また本実施の形態の以下の例では、この注目有線ＬＡＮポート１４１ｂがリンクアップしたときには、緊急用のＳＳＩＤ（予め設定して記憶部１２等に格納しておけばよい）に係る無線通信条件要素を、無線通信条件に係る設定情報に追加するよう、予め定められているものとする。
【００３９】
本実施の形態に係るアクセスポイント装置１は、例えば学校の体育館等に設置される。このアクセスポイント装置１は通常時は、有線ＬＡＮポート１４１ａに接続されるケーブルを介して職員室等に置かれたスイッチＳＷに接続され、このスイッチＳＷを介して、学校内の他の端末やインターネット等ＷＡＮ側との通信が可能となっているものとする。
【００４０】
またこのアクセスポイント装置１とスイッチＳＷとの間には、通常時はいずれか一端を接続しておかないようにした、もう一つのケーブル（予備ケーブルと呼ぶ）を敷設しておく。この予備ケーブルは緊急時などにおいて注目有線ＬＡＮポートに接続されるが、通常時は有線ＬＡＮポート１４１ｂにはケーブルを接続せず、または有線ＬＡＮポート１４１ｂにその一端が接続されたケーブルの他端側には機器を接続しない。これにより有線ＬＡＮポート１４１ｂはリンクダウンの状態にあることとなる。
【００４１】
通常時、本実施の形態に係るアクセスポイント装置１には、学校側等で任意に定めたＳＳＩＤ（以下、「通常時ＳＳＩＤ」と呼ぶ）に係る無線通信条件要素のみを含む無線通信条件に係る設定情報が用いられる。具体的にこの無線通信条件要素には、学校側で非公開に管理される暗号化方式、並びに暗号キー等のセキュリティ情報が含まれるものとする。通常時に体育館に訪れた部外者は、この暗号キー等を知ることができないので、アクセスポイント装置１との間で無線通信を行うことはできない。
【００４２】
一方、教職員等、ＳＳＩＤやセキュリティ情報を知ることができる者であれば、体育館において、タブレット端末等を用いて、アクセスポイント装置１との間で無線通信を行うことが可能となる。アクセスポイント装置１は、このとき一般的な無線ＬＡＮアクセスポイントとして機能し、当該無線通信を行っている端末からの指示に応じて、無線ＬＡＮまたは有線ＬＡＮを介して接続される他の端末や、ルータを介して接続されるインターネット上のウェブサーバ等、指示された宛先へ、当該端末から受け入れたデータを送出する。また当該他の端末やインターネット上のウェブサーバ等から受信したデータを、当該端末宛に送出する。この動作は、一般的なアクセスポイント装置１の動作であるので、その詳しい説明を省略する。
【００４３】
アクセスポイント装置１の制御部１１は、図３に例示するように、所定のタイミングごとに繰り返して注目有線ＬＡＮポート１４１ｂがリンクアップ状態になっているか否かを調べる（Ｓ１）。当初、注目有線ＬＡＮポート１４１ｂはリンクダウンの状態にある（処理Ｓ１においてNoである）ので、アクセスポイント装置１は緊急用のＳＳＩＤを用いた通信は行わない。
【００４４】
その後、自然災害等の発生により体育館が一時避難場所となるなど、無線ＬＡＮネットワークを公衆の用に供することが妥当であると判断されるときには、教職員等が予備ケーブルの一端を、アクセスポイント装置の有線ＬＡＮポート１４１のうち、予め定められた有線ＬＡＮポート１４１（有線ＬＡＮポート１４１ｂであるとする）に接続し、また予備ケーブルの他端をスイッチＳＷに接続する。すると、有線ＬＡＮポート１４１ｂがリンクアップ状態となる。
【００４５】
この後、図３の処理Ｓ１を実行したアクセスポイント装置１の制御部１１は、注目有線ＬＡＮポート１４１ｂがリンクアップ状態であると判断して（処理Ｓ１のYes）、予め候補として定められた緊急用のＳＳＩＤと、それに対応する暗号化等の設定を含む無線通信条件要素を、記憶部１２の不揮発メモリ部１２１に格納された無線通信条件に係る設定情報に追記し（Ｓ２）、アクセスポイント装置１を再起動する（Ｓ３）。
【００４６】
再起動後、制御部１１は、記憶部１２の不揮発メモリ部１２１に格納された無線通信条件に係る設定情報を参照して（Ｓ４）、当該設定情報により規定された無線通信条件に含まれるＳＳＩＤを利用した無線通信を開始する（Ｓ５）。ここでは、通常時ＳＳＩＤと、緊急用のＳＳＩＤとの双方に係る無線通信条件要素が含まれるので、これら通常時ＳＳＩＤと緊急用のＳＳＩＤとの双方を用いた無線通信が行われる。
【００４７】
またこのとき、通常時ＳＳＩＤに係る無線通信では、当該通常時ＳＳＩＤに関連したセキュリティ情報が用いられる。この通常時ＳＳＩＤに関連したセキュリティ情報には、既に説明したように学校側で非公開に管理される暗号化方式、並びに暗号キー等が含まれる。また緊急用のＳＳＩＤについては、当該緊急用のＳＳＩＤに関連したセキュリティ情報が用いられる。このセキュリティ情報は、事前に定められたものとし、一例では、「暗号化なし」の設定を表すものであってもよい。暗号化なしとする場合、緊急用のＳＳＩＤを用いた無線通信では、何らのセキュリティ設定が必要とされないので、体育館に訪れた部外者（避難者等）は、この緊急用のＳＳＩＤを用いてアクセスポイント装置１に接続し、アクセスポイント装置１を介してインターネット上のウェブサーバ等との通信を行うことが可能となる。
【００４８】
このように本実施の形態によると、注目有線ＬＡＮポートとして定められた有線ＬＡＮポートにケーブルを接続してリンクアップするか否かによって、用いられるＳＳＩＤやセキュリティの設定を変更することができ、簡易な方法で無線通信条件を加除し、変更できる。
【００４９】
［リンクアップ状態にある有線ＬＡＮポートの数による例］
また、本実施の形態の一例では、注目有線ＬＡＮポートは複数あってもよい。この場合、注目有線ＬＡＮポートごとに、互いに異なり得る無線通信条件要素の候補を関連付けて記憶部１２に格納しておいてもよい。無線通信条件設定部２２は、いずれかの注目ＬＡＮポートがリンクダウン状態からリンクアップ状態に変化するか、またはリンクアップ状態からリンクダウン状態へ変化したときに、不揮発メモリ部１２１に形成された設定情報記憶領域に格納した設定情報の内容をクリアし、リンクアップ状態となった各注目有線ＬＡＮポートに関連付けて記憶部１２に格納されている無線通信条件要素の候補を読み出して、不揮発メモリ部１２１に形成された設定情報記憶領域に格納されている設定情報に追記する。
【００５０】
この例では、どの注目有線ＬＡＮポートにケーブルを接続するか（リンクアップさせるか）によって互いに異なる無線通信条件を用いることが可能となる。またこの例では一つの注目有線ＬＡＮポートについて、２以上の無線通信条件（互いに異なるＳＳＩＤに係るもの）の候補を設定可能となっていてもよい。無線通信条件設定部２２は、リンクアップ状態となった注目有線ＬＡＮポートに関連付けて記憶部１２に格納されている無線通信条件要素の候補が複数あれば、当該複数の無線通信条件要素を読み出して、不揮発メモリ部１２１に形成された設定情報記憶領域に格納された設定情報に追記する。
【００５１】
またリンクアップ状態となっている注目有線ＬＡＮポートの数、またはリンクダウン状態となっている注目有線ＬＡＮポートの数に応じて、無線通信条件を決定することとしてもよい。この例では、記憶部１２には予め、図４に例示するように、リンクアップ状態（またはリンクダウン状態）となっている注目有線ＬＡＮポートの数と、設定するべき無線通信条件要素の候補とを関連付けて設定データベースとして保持しておく。
【００５２】
無線通信条件設定部２２は、注目有線ＬＡＮポートのうちリンクアップ状態（またはリンクダウン状態）となっている注目有線ＬＡＮポートの数Ｎを得て、当該数Ｎに変化があれば、設定データベースを参照し、当該変化した後の数Ｎに関連付けられた無線通信条件要素の候補を取得する。無線通信条件設定部２２は、当該取得した無線通信条件要素を、記憶部１２の不揮発メモリ部１２１に形成された設定情報記憶領域に格納した設定情報として上書きして格納し、通信処理部２３を再起動する。
【００５３】
ここで設定データベースには、例えば注目有線ＬＡＮポートのうちリンクアップ状態（またはリンクダウン状態）となっている注目有線ＬＡＮポートの数Ｎが１である場合には通常時ＳＳＩＤのみを用いた無線通信を行い、Ｎが２である場合には通常時ＳＳＩＤと緊急用ＳＳＩＤとの双方を用いた無線通信を行い…というように、数Ｎごとに異なる無線通信条件要素の候補を設定可能となっていてもよい。また先の例と同様に、一つの数Ｎに対して２以上の無線通信条件要素（互いに異なるＳＳＩＤに係るもの）の候補を設定可能となっていてもよい。
また、有線ＬＡＮポートのうち、どの有線ＬＡＮポートを注目有線ＬＡＮポートとするかは、利用者が設定可能となっていてもよい。
【００５４】
［仮想ＬＡＮを用いる例］
さらに本実施の形態のある例では、通信処理部２３は、互いに異なる無線通信条件により識別される論理的なアクセスポイントごとに、異なる有線ＬＡＮ（仮想化された論理的なものでよい）に接続することとしてもよい。
【００５５】
具体的に、本実施の形態のある例では有線ＬＡＮがスイッチＳＷによって、複数の仮想的なＬＡＮ（ＶＬＡＮ）として扱われる。例えば有線ＬＡＮは、スイッチＳＷによっていわゆるタグＶＬＡＮとして仮想化され、多重化される。この例ではスイッチＳＷは、パケット情報に含まれるタグ情報を参照し、タグ情報ごとに設定された通信経路を介して、当該パケット情報を送出する。一例としてタグ情報「Ａ」が含まれるパケット情報については、スイッチＳＷの任意のポートを介してパケット情報を送出可能であるものとし、タグ情報「Ｂ」が含まれるパケット情報についてはルータを介してＷＡＮ側に接続されるポートのみを介してパケット情報が出力できるものとしておく。この設定ではタグ情報「Ａ」が付されたパケット情報は任意の宛先へ送出されるが、タグ情報「Ｂ」が付されたパケット情報はＷＡＮ側へのみ送出されることとなる。
【００５６】
本実施の形態のこの例においてアクセスポイント装置１の記憶部１２には、図５（ａ）に例示するように、設定可能な無線通信条件要素ごとに、当該無線通信条件要素に係る無線通信条件で通信を行う端末から受信したパケット情報に含めるべきＶＬＡＮのタグ情報を関連付けて記憶しておく。図５（ａ）では、無線通信条件要素を特定する情報（例えば対応するＳＳＩＤでよい）に関連付けてタグ情報を記憶する例を示している。
【００５７】
通信処理部２３は、記憶部１２の不揮発メモリ部１２１に形成された設定情報記憶領域に格納された設定情報に含まれる各無線通信条件要素で識別される論理的なアクセスポイントとして機能し、各論理的なアクセスポイントは、対応する無線通信条件要素により規定されるＳＳＩＤ、並びに暗号化方法や暗号キー等を用いてＰＣ等の端末との間で無線通信を行う。またある無線通信条件要素（第１の無線通信条件要素「ａ」とする）に係る無線通信条件にて通信を行っている端末から有線ＬＡＮまたはＷＡＮ側に接続された端末やサーバ宛のパケット情報を受信すると、通信処理部２３は、第１の無線通信条件要素「ａ」に関連付けて記憶部１２に記憶されているタグ情報「Ａ」を取得し、このタグ情報「Ａ」を、上記受信したパケット情報に含め、スイッチＳＷ宛に送出する。
【００５８】
また別の無線通信条件要素（第２の無線通信条件要素「ｂ」とする）に係る無線通信条件にて通信を行っている端末から有線ＬＡＮまたはＷＡＮ側に接続された端末やサーバ宛のパケット情報を受信すると、通信処理部２３は、第２の無線通信条件要素「ｂ」に関連付けて記憶部１２に記憶されているタグ情報「Ｂ」を取得し、このタグ情報「Ｂ」を、上記受信したパケット情報に含め、スイッチＳＷ宛に送出する。この第２の無線通信条件要素「ｂ」に係る無線通信条件にて通信を行っている端末から受信したパケット情報が有線ＬＡＮに接続された他の端末宛であれば、スイッチＳＷは、タグ情報「Ｂ」に関連付けられた通信経路がＷＡＮ側のみとなっているので、当該パケット情報を破棄することとなる。
【００５９】
またスイッチＳＷは、スイッチＳＷが備えている有線ＬＡＮポートごとに、どのＶＬＡＮに接続されているかを設定する、いわゆるポートＶＬＡＮ方式により、有線ＬＡＮを仮想化してもよい。
【００６０】
この例では、アクセスポイント装置１の有線ＬＡＮポート１４１ａがスイッチＳＷの有線ＬＡＮポートＳＷ１に接続され、アクセスポイント装置１の有線ＬＡＮポート１４１ｂは、ケーブルが接続されるときには、スイッチＳＷの有線ＬＡＮポートＳＷ２との間で接続されるものとする。さらにスイッチＳＷの他の有線ＬＡＮポートＳＷｎ（ｎはｎ≧３なる整数とする）の少なくとも一部には、他の端末や他のスイッチＳＷ′等が接続されるものとする。またこのスイッチＳＷはルータが接続されるポートＳＷＲを備え、このポートＳＷＲは、ルータを介してＷＡＮ側に接続されているものとする。なお、ここでの例ではルータはトランク対応ルータであるものとする。
【００６１】
そしてスイッチＳＷでは、有線ＬＡＮポートＳＷ１と有線ＬＡＮポートＳＷｎ（ｎはｎ≧３なる整数）を第１のＶＬＡＮ「Ａ」に属するものとして、また有線ＬＡＮポートＳＷ２を第２のＶＬＡＮ「Ｂ」に属するものとして設定しておく。さらにポートＳＷＲはトランクポートとして設定しておく。
【００６２】
この例においてアクセスポイント装置１の記憶部１２には、図５（ｂ）に例示するように、設定可能な無線通信条件要素ごとに、当該無線通信条件要素に係る無線通信条件で通信を行う端末から受信したパケット情報を送出するべき有線ＬＡＮポート１４１を特定する情報を関連付けて記憶しておく。図５（ｂ）では、無線通信条件要素を特定する情報に関連付けて有線ＬＡＮポート１４１を特定する情報を記憶する例を示している。
【００６３】
この例でも、通信処理部２３は、各無線通信条件要素で識別される論理的なアクセスポイントとして機能し、各論理的なアクセスポイントは、対応する無線通信条件要素により規定されるＳＳＩＤ、並びに暗号化方法や暗号キー等を用いてＰＣ等の端末との間で無線通信を行う。またある無線通信条件要素（第１の無線通信条件要素「ａ」とする）に係る無線通信条件にて通信を行っている端末から有線ＬＡＮまたはＷＡＮ側に接続された端末やサーバ宛のパケット情報を受信すると、通信処理部２３は、第１の無線通信条件要素「ａ」に関連付けて記憶部１２に記憶されている有線ＬＡＮポート１４１ａを特定する情報を取得し、この取得した情報で特定される有線ＬＡＮポート１４１ａを介して、スイッチＳＷ宛に送出する。スイッチＳＷ側では、このパケット情報を、有線ＬＡＮポートＳＷ１を介して受け入れることとなり、第１のＶＬＡＮ「Ａ」を介して受け入れたパケット情報として処理する。
【００６４】
また別の無線通信条件要素（第２の無線通信条件要素「ｂ」とする）に係る無線通信条件にて通信を行っている端末から有線ＬＡＮまたはＷＡＮ側に接続された端末やサーバ宛のパケット情報を受信すると、通信処理部２３は、第２の無線通信条件要素「ｂ」に関連付けて記憶部１２に記憶されている有線ＬＡＮポート１４１ｂを特定する情報を取得し、この取得した情報で特定される有線ＬＡＮポート１４１ｂを介して、スイッチＳＷ宛に送出する。スイッチＳＷ側では、このパケット情報を、有線ＬＡＮポートＳＷ２を介して受け入れることとなり、第２のＶＬＡＮ「Ｂ」を介して受け入れたパケット情報として処理する。
【００６５】
スイッチＳＷは、この第２のＶＬＡＮ「Ｂ」を介して受け入れたパケット情報を、第１のＶＬＡＮ「Ａ」に接続されている他の端末（有線ＬＡＮポートＳＷｎ（ｎ≧３）に接続された端末）宛に送出することはなく、このパケット情報はＷＡＮ側にのみ送出可能となっている。
【００６６】
このように、本実施の形態のＶＬＡＮを用いる例では、記憶部１２の不揮発メモリ部１２１に形成された設定情報記憶領域に格納された設定情報に含まれる無線通信条件要素ごとに、対応するＶＬＡＮを設定するので、異なるＶＬＡＮ間での通信が遮断される。これにより例えば通常時ＳＳＩＤに係る無線通信条件で通信する端末は、有線ＬＡＮ上の他の端末との通信が可能となるが、緊急時ＳＳＩＤに係る無線通信条件で通信する端末はＷＡＮを介した通信のみが可能となるように設定できる。
【００６７】
また、本実施の形態の一例では、通常時ＳＳＩＤに係る無線通信条件要素など、注目有線ＬＡＮポートのリンクアップ状態とは関わりなく利用される無線通信条件については、当該無線通信条件要素に係るＳＳＩＤをビーコンとして送出しないようにしてもよい。
【００６８】
［接続台数の制限］
さらに本実施の形態では、設定され得る無線通信条件ごとに最大の端末数や、利用する無線モジュールの種類等を設定しておいてもよい。例えば、各無線通信条件要素には、当該無線通信条件要素に係る無線通信条件により通信する端末の最大数（「無制限」というものでもよい）を規定しておいてもよい。通信処理部２３は、無線通信条件要素ごとに端末接続台数を記憶する。この端末接続台数は当初は「０」に初期化される。通信処理部２３は、端末からいずれかの無線通信条件要素に係る無線通信条件での（いずれかのＳＳＩＤでの）接続の要求を受けるごとに（Association Requestまたはそれに先立って送出されるAuthenticationが受信されるごとに）、当該無線通信条件要素に係る無線通信条件での端末接続台数と、当該無線通信条件要素について予め定められた端末の最大数とを比較し、端末接続台数が最大数以上であれば、当該端末からの接続要求を受け付けない。また端末接続台数が最大数以上でなければ、通信処理部２３は、当該要求を行った端末との通信を開始し、当該端末との通信に用いる無線通信条件に対応する無線通信条件要素についての端末接続台数を１だけインクリメントする。
【００６９】
なお、通信処理部２３は、端末ごとに、最後に端末がパケット情報を送信した時刻の情報を最終アクセス時刻として取得して記憶しておき、最終アクセス時刻が現在時刻よりも予め定めたしきい値より以前となった端末については通信が終了したものとして、当該端末との通信に用いていた無線通信条件に対応する無線通信条件要素についての端末接続台数を１だけデクリメントする。なお、時刻の情報は図示しないタイマーＩＣ（アクセスポイント装置１の起動時からの時刻をカウントするものでよい）等から取得してもよいし、ＷＡＮを介してインターネット上の時刻情報サーバ（ＮＴＰサーバ等）から取得してもよい。
【００７０】
［接続モードの割り当て］
さらに本実施の形態では、記憶部１２の不揮発メモリ部１２１に形成された設定情報記憶領域に格納された設定情報に一度に含まれ得る無線通信条件要素の組み合わせごとに、各無線通信条件要素に係る無線通信条件での通信に用いる接続モードを割り当ててもよい。一例として本実施の形態のアクセスポイント装置１は、使用する無線通信条件要素の組み合わせごとに、各無線通信条件要素に係る無線通信条件で使用する接続モードの設定を保持する（管理者等により任意に書き換え可能となっていてもよい）。具体的にこの設定は、図６に例示するように、使用する無線通信条件が第１の無線通信条件要素αに係る無線通信条件だけである場合、この第１の無線通信条件αによる無線通信については802.11a/b/g/nの接続モードでの通信を行うものとし、使用する無線通信条件が第１の無線通信条件要素αに係るものと、第２の無線通信条件要素βに係るものとの２つある場合、この第１の無線通信条件要素αに係る無線通信条件による通信については802.11a/b/nの接続モードでの通信を行い、第２の無線通信条件要素βに係る無線通信条件による通信については802.11gの接続モードのみでの通信を行う、というような設定となる。この例では、通信処理部２３は、各無線通信条件要素により規定される無線通信条件での通信ごとに異なる接続モードでの通信を行うこととなる。また有線ＬＡＮポート１４１のうち、注目有線ＬＡＮポートがリンクアップ状態にあるか否か等の条件により、第２の無線通信条件要素βに係る無線通信条件での通信が行われるか否かが設定されるので、第１の無線通信条件要素αに係る無線通信条件での通信に用いる接続モードが異ならされることとなる。
【００７１】
［ＱｏＳを設定変更する例］
さらに本実施の形態では、有線ＬＡＮポート１４１ごと、あるいはパケット情報に含まれるＴＣＰやＵＤＰのポート番号や、通信先のアドレス情報ごとに通信の優先順位やフィルタを設定してもよい。アクセスポイント装置１は、この設定に基づいてパケット情報ごとの優先・フィルタ制御を行う。優先・フィルタ制御の方法等については広く知られた方法があるので、その詳しい説明を省略する。
【００７２】
本実施の形態において特徴的なことの一つは、記憶部１２の不揮発メモリ部１２１に形成された設定情報記憶領域に格納された設定情報に一度に含まれ得る無線通信条件要素の組み合わせごとに、優先順位やフィルタの設定を異ならせることである。すなわち、一例として本実施の形態のアクセスポイント装置１は、設定情報に一度に含めることが可能な無線通信条件要素の組み合わせに関連付けて、優先順位やフィルタの設定を記憶しておく（管理者等により任意に書き換え可能となっていてもよい）。この優先順位やフィルタの設定は、無線通信条件要素の組み合わせごとに互いに異なるものとなっていてもよい。アクセスポイント装置１は、実際に使用している無線通信条件要素の組み合わせに関連付けて記憶している優先順位やフィルタの設定を読み出して、当該優先順位やフィルタの設定に基づいて優先・フィルタ制御を行う。
【００７３】
具体的な例として、本実施の形態のアクセスポイント装置１は、通常時ＳＳＩＤに係る無線通信条件要素のみが設定情報に含まれる場合（通常時ＳＳＩＤに係る無線通信条件による無線通信のみを行っている場合）には優先順位やフィルタの設定を「なし」としておく。また、通常時ＳＳＩＤに係る無線通信条件要素と緊急用ＳＳＩＤに係る無線通信条件要素との双方が設定情報に含まれる場合、通常時ＳＳＩＤに係る無線通信条件による無線通信のほか、緊急用ＳＳＩＤに係る無線通信条件による無線通信が行われる。そこで緊急時ＳＳＩＤに係る無線通信条件にて送受するパケット情報については、ＨＴＴＰ（Hyper Text Transfer Protocol）に係るポート（一般的にはポート番号８０のポート）を介して送受されるパケット情報のみを通過させるようフィルタの設定を行っておき、通常時ＳＳＩＤに係る無線通信条件により送受するパケット情報については、優先順位やフィルタの設定を「なし」としておいてもよい。
【００７４】
また別の例では、通常時ＳＳＩＤに係る無線通信条件のみによる無線通信を行っている場合には優先順位やフィルタの設定を「なし」としておき、通常時ＳＳＩＤに係る無線通信条件と緊急用ＳＳＩＤに係る無線通信条件との双方にかかる無線通信を行うときには、通常時ＳＳＩＤに係る無線通信条件により送受するパケット情報についても、一部のＴＣＰのポート番号に係るポートを介して送受されるパケット情報のみを通過させるようフィルタの設定を行ってもよい。
【００７５】
さらに通常時ＳＳＩＤに係る無線通信条件のみによる無線通信を行っている場合には優先順位やフィルタの設定を「なし」としておき、通常時ＳＳＩＤに係る無線通信条件と緊急用ＳＳＩＤに係る無線通信条件との双方にかかる無線通信を行うときには、有線ＬＡＮポート１４１ａを介して送受されるパケット情報を、有線ＬＡＮポート１４１ｂを介して送受されるパケット情報よりも優先して処理するよう優先順位を設定してもよい。
【００７６】
このような例によると、有線ＬＡＮポート１４１のうち、注目有線ＬＡＮポートがリンクアップ状態にあるか否か等の条件により、利用する設定情報に含まれ得る無線通信条件要素の組み合わせが変更される場合、注目有線ＬＡＮポートにケーブルを接続するか否か（注目有線ＬＡＮポートをリンクアップするか否か）により、通信の優先順位やフィルタの設定が変更されることとなる。
【符号の説明】
【００７７】
１  アクセスポイント装置、１１  制御部、１２  記憶部、１３  無線通信部、１４  有線通信部、２１  リンク状態検出部、２２  無線通信条件設定部、２３  通信処理部、１２１  不揮発メモリ部、１４１  有線ＬＡＮポート。
【図１】
0006468116.tif 000002
【図２】
0006468116.tif 000003
【図３】
0006468116.tif 000004
【図４】
0006468116.tif 000005
【図５】
0006468116.tif 000006
【図６】
0006468116.tif 000007